(57)【要約】      （修正有）【課題】便蓋を閉じた時に便座が便蓋側壁内に隠れる洋式便器の便蓋に便蓋カバーを装着して閉じるとき、便蓋カバーで邪魔されずに便蓋を閉じことができ、多くの機種に適用可能な便蓋カバーを提供する。【解決手段】便蓋カバー６は、直線部と半長円部の平面状の織布７を有し、織布７は直線部に対峙する半長円部の先端から垂直に折れる折曲部６ｃを有し、折曲部６ｃの裏面に、便蓋６の側壁２ｂに裏側から上向きに嵌合係止する硬質係止板８を設け、硬質係止板８のみを便蓋２の側壁２ｂの裏面に装着する。さらに、側壁２ｂに便蓋カバー６の折曲部６ｃを巻き込まずに係止可能とし、便蓋カバー６の後端の直線部と半長円部の後端周辺の裏面に鉤９ａとゴム紐９ｂからなる係止具を設けて便蓋２の後端の直線状の開閉部及び半長円状の周辺部に形成の側壁２ｂに便座カバー６を取り付け可能とした。【選択図】図１
0003165402.tif 000002
【実用新案登録請求の範囲】
【請求項１】
洋式便器の半長円状の便蓋の直線状の開閉部以外の便蓋の半長円状の周辺部に、便蓋を閉じた際に便座を外部から隠す側壁を有するタイプの便蓋に適用する便蓋カバーであって、便蓋カバーは、直線部と半長円部からなる平面状の織布を有し、この織布は直線部に対峙する半長円部の平面状の織布の先端の部分から垂直に折れ曲る折曲部を有し、この織布の折曲部の裏面に、便蓋の折曲部の側壁に裏側から上向きに嵌合して係止する硬質係止板を設け、この硬質係止板のみを便蓋の側壁の裏面に装着することで、便蓋の側壁に便蓋カバーの折曲部を係止可能とし、この便蓋カバーの後端の直線部と半長円部の後端周辺の裏面には、鉤とゴム紐からなる係止具を配設して便蓋の後端の直線状の開閉部及び半長円形状の便蓋周囲の側壁にこの便座カバーを取り付け可能としたことを特徴とする洋式便器の便蓋カバー。
【請求項２】
上向きに係止する硬質係止板は、弾性を有する硬質プラスチック板からなることを特徴とする請求項１に記載の洋式便器の便蓋カバー。
【請求項３】
便蓋カバーは織布の表面を段通状とした凸状のカットパイルに形成し、かつ、織布の周辺をヘム布にくるんだ縁取りを設けていることを特徴とする請求項１又は２に記載の洋式便器の便蓋カバー。
【請求項４】
便蓋カバーは織布の裏面を滑り止め部に形成していることを特徴とする請求項１〜３のいずれか１項に記載の洋式便器の便蓋カバー。
【考案の詳細な説明】
【技術分野】
【０００１】
この考案は、洋式便器の便蓋の外表面に装着して使用する便蓋カバーに関する。とりわけ、便蓋を閉じたときに便蓋によって便座が覆い隠されるような形状の便蓋に装着するのに好適な便蓋カバーに関する。
【背景技術】
【０００２】
洋式便器には、一般的に床面に設置の陶器製の便器の上部に、使用者が着座できる便座が開閉自在に備えられ、さらにその上に便蓋が開閉自在に設けられている。この便蓋は、従来は内部に水の張られた便器と便座を上方から隠し、さらに、埃や汚れが便器に付着するのを防ぐという役割を果たしていたものの、側面からみたときには、便座の上に載せ置かれるような形で取り付けられていたものであって、実用本意に機能的な側面が優先された形状のものであった。このため、美観的にすっきりしておらず、体裁が良くなかった。
【０００３】
ところで近年は、便蓋も、便器や便座と一体となった統一的なデザインや高級感が志向されており、全体としての美観にも配慮した種々の工夫がなされるようになりつつある。たとえば、トイレが使用中ではなく、したがって便蓋が降ろされている状態（閉止状態）のときに、便座が便蓋の内部に隠れるようなデザイン、すなわち便座が便蓋の内側、すなわち便蓋の裏側に入り込む形の洋式便器が提供されている。こうした洋式便器の便蓋は、たとえば、便座よりもやや大きい天板と高さのある側壁とを備えており、便蓋が閉じられた状態では、便蓋が便座の周囲を包むようにして覆うことで、便座の側部を覆い隠している。このために、上方からは内側の便座が視認できず、便座と便蓋とが一体的なデザインからなる便器となっいる。
【０００４】
さらに、便器の後部に設けられている貯水タンクなどの仕組みや便器の水洗技術の改良によって、便器や貯水タンクのコンパクト化が進んだために、便座のサイズにも工夫の余地が生じ、デザイン性や機能性が追求しやすくなってきている。その結果、たとえば着座のしやすさへの配慮などから便座の大型化が進むなど、便座や便器の形状にもバリエーションが増えており、それに応じて、便蓋も洋式便器の種類に適応するように様々なサイズや形状が登場している。
【０００５】
ところで、一般家庭用の洋式便器の便座や便蓋には、従前から装飾あるいは感触のために布製のカバーが取り付けられることが多い。この便座カバーはプラスチック製や陶器製の上に座ったときの冷たい感触やペタっとした感触を避けるといった役割を果しているが、便蓋カバーにおいては、機能的に便蓋への汚れ付着を防止して清潔感を保持すること、および質感や装飾性を高めてトイレの室内空間をグレードアップさせることを目的としているものである。さらに、便座、便蓋およびトイレットロールホルダーの布製品のカバーと、さらに洋式便器の手前に配置するマットなどとを一体的に組みあわせて使用することで、統一感をもたせた室内空間を形成しうるようになっている。
【０００６】
そうしたデザインに配慮した志向からすると、たしかに、これらの便座カバーや便蓋カバーには、デザイン的な美観や布地の触感の選択が重要となるであろうが、そもそも便座や便蓋とフィットする形状であることが前提として求められている。フィットさせるためには、まず、取り付け、取外しの容易性といった面から、これらカバーの材料選択や係止手段の工夫といったことが要請されている。
【０００７】
そこで、従来の便蓋カバーにおける取り付け係止手段としては、便蓋の周囲が半楕円状に湾曲した形状であることから、その湾曲下形状にフィットさせるため、半長半長円部分のカバーには、周縁に弾性ゴムの入ったギャザーのある布を被せて半長円の便蓋の湾曲部を裏面まで全体に包むようにして覆い、端部を面ファスナー等で固定するものがある（例えば、特許文献１参照。）。こうした従来の便蓋カバーでは、便蓋の表面だけでなく、便蓋の裏面側に、ギャザーや、例えば図５に示すように弾性ゴムの入った折り返し部分のヘム布にくるんだ縁取り７ｂとなった便蓋カバー６の織布７が大きく被さって便蓋２の先端で折り返して、便蓋２に側壁を有さないものでは、大きく便蓋２の裏側に入り込み便蓋２の背面を大きく覆うこととなる。そのため、便蓋２を閉止状態とするために倒して閉じたときに、便蓋２が便座の上に載せ置かれるタイプである従来型の便器での適用が想定されていたものであった。すると、こうした便蓋カバー６を前述の近時の洋式便座が便蓋２が側壁２ｂを有してその側壁２ｂの内側に入り込むタイプの便蓋に装着するとき、便蓋２が十分に閉まりきらず、やや浮き上がったようになり不格好となる。さらにこうした状態で便蓋カバー６を無理矢理に装着してしまうと、便蓋２の開閉が十分でなく、また便蓋２が使用時に自立できにくく、かつ、便蓋２を倒した時に十分に閉まりきらない、といったことから、温水式便器に近時備えつけられている種々のセンサーが適切に稼働しなかったりして、待機状態を判断する節電スイッチや、脱臭機能の制御スイッチが正常に動作しないといった不具合が生じるといった不都合があった。
【０００８】
そこで、便蓋カバーを装着した便蓋が閉止した状態でも、便蓋の内側に便座を収納する邪魔をしないように、湾曲状の側壁を有する便蓋の、この湾曲状の側壁内面に沿うようにして便蓋カバーの布地をくるっと反転させて湾曲状の側壁巻き込むようにすることで、便座と便蓋の間の隙間を確保するものとした便蓋カバーが開発されている（例えば、特許文献２参照）。これは、便蓋の側面内周の湾曲に沿わせるべく、便蓋カバーの布地の内部には、湾曲部端すなわち前縁部に厚みの薄い細長い曲状の棒からなる弾性プラスチック部材が便蓋の周縁よりもやや大きな曲率半径の湾曲状態で縫着されており、この曲状の棒を便蓋の湾曲部端で折り返すと、布地の内部に縫着された湾曲した棒状の弾性プラスチックがくるりと反転して反り返ることで、便蓋の側壁内面にぴったりと嵌まり込むようになり、便蓋の湾曲部（前縁部）の内面に固定されることとなる。したがって、便蓋と便座との収納に干渉することなく便蓋カバーの装着が可能となっている。さらに便蓋カバー側に配設されている伸縮フックで側壁側の後縁部と固定できるようになっている。
【０００９】
もっとも、曲率半径のやや大きな曲状の棒のプラスチックが反転して反り返るようにして、便蓋の湾曲部（前縁部）の裏側に布地を巻き込んで嵌まり込むものであるから、プラスチックの弾性によるバネが効いて便蓋の前縁の湾曲部をクリップするように、棒状のプラスチックの曲率半径は予め定めておき、かつ、便蓋の湾曲部にみあった形状の便蓋カバーの布地を予め裁断しておく必要がある。また、湾曲部の曲率が同じであっても、便蓋周囲の湾曲部の側壁の高さが違えば、便蓋カバーを反り返して反転により便蓋周囲の湾曲部の側壁を巻き込む際に、十分なフィットが得られず、外れ易くなることもあった。してみると、この方法で固定できるのは、便蓋周囲の湾曲形状の曲率や天板の大きさ、側壁の高さが所定のサイズと合致するものに限られることとなる。いわば専用品的なものとなり、その予定された範囲では高い装着性を発揮するも、必ずしも汎用性は決して高いものとは言い難かった。
【００１０】
ところが、先述のとおり、便座や便蓋は、便器のメーカー毎に、またメーカーが同じでも、便器の機種ごとに、全幅、全長といったサイズが異なってきており、また便座の湾曲形状にも違いがあることから、便蓋だけでも極めて種々のバリエーションが生じている状況にある。このような状況の下で、便座や便蓋とフィットする便蓋カバーを提供しようとすれば、たしかに、各メーカーの機種タイプごとの便蓋に合う形状の便座カバーをタイプ別に用意することが端的な方法ではある。もっとも、市販の一社の便器を例にとれば、その便器の形状に応じて、その一社の専用の便蓋カバーはＡ〜Ｈまで７タイプにも分類されて提供されている。このように、すべての便蓋に応じて便蓋カバーを専用品として提供することは、提供する側にも提供される側にも負担がかかる。つまり、現実的には選択できる商品が限られてしまい、商品選択の幅が狭められてしまっている。そこで、サイズや形状といったタイプの違う便蓋が種々にあることからすると、これらの各種便器にフィットさせる汎用性のより高い便蓋カバーを志向する工夫が求められている。
【先行技術文献】
【特許文献】
【００１１】
【特許文献１】実開平５−２９４９６号公報
【特許文献２】特開２００７−２６８１７８号公報（図２、図３）
【考案の概要】
【考案が解決しようとする課題】
【００１２】
上述のとおり、従来型の洋式便器では、便蓋が便座の上に載置されたタイプでは、便座が便蓋の下に露出していた。しかし、近時の洋式便器では、便蓋を閉じた状態では、便座が便蓋の側壁内に収納されるように、便蓋と便座の取付け部であるヒンジの部分以外の便蓋の周辺に、便蓋から直角方向に側壁を設けて、便蓋を閉じたときに便座が隠れる形状とした洋式便器が増えつつある。そこで、これらの洋式便器の便蓋に便蓋カバーを装着した時、便蓋カバーの周辺部である便蓋カバーの取付け部が便蓋の裏側の周辺部に収納されていても、便座と干渉して当接することなく便蓋を閉じた状態にすることができる構造の便蓋カバーであることが必要とされている。なぜなら、便蓋カバーが便座と干渉して当接すると、便蓋を適切に倒しても閉じることができず、もしくは便蓋を開けたときにきちんと自立できない、といった不都合を生ずることとなる。このように、物理的に適切な状態で便蓋が開閉動作をしない上に、洋式便器と便蓋の優れた一体的なデザイン感が損なわれることとなると、上述した最近の洋式便器に適合した便蓋カバーが得られなくなる。また、適切に便蓋が開閉動作をしないこととなれば、最近の洋式便器に各種のセンサーが内蔵されているが、これらのセンサーが便蓋の適切な開閉動作状態を判別できないこととなるから、便器の各種機能、たとえば節電機能や、脱臭機能や、弁座や洗浄水のヒーター機能が正常に動作しない事態も生じる。
【００１３】
また、便蓋には、センサーやリモートスイッチで自動的に開閉動作をする機能が付与されているものがあるが、これらの駆動モータに対して過度に負荷をかけないために、便蓋に用いる便蓋カバーに設けた便蓋への固定具や材質に重量的な制限があり、駆動モータへの負荷を抑えるためにより簡易な構造でありながら、適切に固定できる器具を有する構造からなる便蓋カバーが望まれている。
【００１４】
さらに、洋式便器の便蓋を含めたデザインのバリエーションが増えており、種々の曲率の湾曲形状やサイズの異なる便蓋、側壁の高さの異なる便蓋が登場している。この様な理由で、いろんな機種に装着できる適用範囲の広い汎用性の高い便蓋カバーが求められている。
【００１５】
そして、こうした便蓋カバーは、時折り便蓋から取り外して洗濯機などで洗濯して清潔に保つのが一般的であることから、洗浄に適した素材や構造であることの上に、繰り返しの装着と着脱の取り回しが容易であることが求められている。たとえば、便蓋カバーの固定に複数の弾性ゴム紐を用いるものがある。ところで、これらは便蓋と便座のヒンジ付近の隙間にゴム紐を通すようにしてくぐらせたり、ゴム紐を伸ばしてテンションをかけながらスナップ留めしたりすることがある。すると、便蓋カバーがゴム紐などに引っ張られて正しい位置からずれてしまったり、均等にテンションがかからず、一部の布地がツレ上がって歪んでしまったりするなど、適切な状態で便蓋カバーを装着することが必ずしも容易とはいえず、装着、着脱に時間を要して不便をかけることとなる。
【００１６】
そこで、この考案が解決しようとする課題は、便蓋の閉じた状態の時に、便座が便蓋の側壁内に収納されるようにして隠れるタイプの洋式便器の便蓋に便蓋カバーを装着した状態で便蓋を閉じるとき、便蓋カバーが便座と干渉することなく、便蓋が閉じた状態となって、洋式便器に付設の種々の機能を阻害することなく、便座に装着できる便蓋カバーであって、かつ、多くの機種の便器の便蓋に適用可能な汎用性の高い便蓋カバーを提供することである。さらに、それらに加えて、簡易な構造でありながら、便蓋カバーの装着、着脱が容易な便蓋カバーを提供することである。
【課題を解決するための手段】
【００１７】
上記の課題を解決するための本考案の手段は、請求項１の考案では、洋式便器の半長円形状の便蓋の直線状の開閉部以外の便蓋の周囲に、便蓋を閉じた際に便座を外部から隠す側壁を有するタイプの便蓋に適用する便蓋カバーである。この便蓋カバーは、直線部と半長円部からなる平面状の織布を有し、この織布は直線部に対峙する半長円部の平面状の織布の先端の部分から垂直に折れ曲る折曲部を有する。さらに、この織布の折曲部の裏面に、便蓋の折曲部の側壁に裏側から上向きに嵌合して係止する硬質係止板を設け、この硬質係止板のみを便蓋の側壁の裏面に装着することで、便蓋の側壁に便蓋カバーの折曲部を巻き込むことなく係止可能としている。さらに、この便蓋カバーの後端の直線部と半長円部の後端周辺の裏面には、鉤とゴム紐からなる係止具を配設して便蓋の後端の直線状の開閉部及び半長円形状の周辺部の側壁にこの便座カバーを取り付け可能としたことを特徴とする洋式便器の便蓋カバーである。
【００１８】
請求項２の考案では、上向きに係止する硬質係止板は、弾性を有する硬質プラスチック板からなることを特徴とする請求項１の手段の洋式便器の便蓋カバーである。
【００１９】
請求項３の考案では、便蓋カバーは織布の表面を段通状とした凸状のカットパイルに形成し、かつ、織布周辺にヘム布によりくるんで縁取りを設けていることを特徴とする請求項１又は２の手段の洋式便器の便蓋カバーである。
【００２０】
請求項４の考案では、便蓋カバーは織布の裏面を滑り止め部に形成していることを特徴とする請求項１〜３のいずれか１項の手段の洋式便器の便蓋カバーである。
【考案の効果】
【００２１】
本考案は、請求項１の手段では、洋式便器の半長円形状の便蓋の直線状の開閉部以外の便蓋の半長円状の周辺部に、便蓋を閉じた際に便座を外部から隠す側壁を便蓋に設け、便蓋カバーの折曲部を、従来のカバーの様に便蓋の裏面に巻き込むことなく、織布の折曲部の裏面に配設した硬質係止板呑みにを便蓋の先端側の側壁の裏側に上向きに嵌合して係止せしめ、かつ、便蓋カバーの後端の直線と半長円の後端周辺の裏面に鉤とゴム紐からなる係止具を配設しているので、便蓋の大きさに多少の違いがあっても関係なく、便座を外部から隠す側壁を有する便蓋に幅広く適用でき、外見的にも優れたデザインとなっているなど優れた効果を奏するものである。
【００２２】
請求項２の手段では、便座カバーを便座に取り付ける機構が、織布の折曲部の裏面に設けた弾性を有する硬質係止板であるので、便蓋の折曲部の側壁の曲率が多少異なっていても自在に曲げて係止できるので、汎用性の点で優れた効果を奏する。
【００２３】
さらに請求項３の手段では、便蓋カバーを凸状のカットパイルからなる段通状の織布としているので豪華で暖かであり、加えて織布の周辺をヘム布にくるんだ縁取りをしているので、織布がほつれてくることがないという優れた効果を奏する。
【００２４】
さらに、請求項４の手段では、便蓋カバーは織布の裏面を滑り止め部に形成しているので、便蓋への取り付け状態が長期間にわたってずれることなく安定しているので、係止具のゴム紐が長持ちするなどの優れた効果を奏するものである。
の効果に加えて奏する。
【図面の簡単な説明】
【００２５】
【図１】本考案の便蓋カバーを洋式便器の便蓋に装着し、先端側を断面で示す側面図で、（ａ）は便座カバーおよび便座の先端の一部の切断図で、（ｂ）は切断部の拡大図である。
【図２】本考案の便蓋カバーで覆った便蓋の裏面から見た斜視図である。
【図３】本考案の便蓋カバーを装着するための便蓋を有し、便座が便蓋で覆われた洋式便器である。
【図４】図３に示す洋式便器の斜視図である。
【図５】側壁を有しない便蓋に装着した従来の便座カバーを裏面側から見た平面図である。
【考案を実施するための形態】
【００２６】
本考案の実施の形態を図面を参照して説明する。先ず、請求項１に係る考案の便蓋カバー６の構成について説明する。この便蓋カバー６は、図３ないし図４に示す洋式便器１の半長円形状の便蓋２の直線状の開閉部３以外の便蓋２の半長円状の周辺部に、便蓋２を閉じた際に便座５を外部から隠す側壁２ｂを有するタイプである便蓋２を覆って使用するものである。この便蓋カバー６のデザインは、便座５に装着して座り心地を良好とする便座カバー６や洋式便器１の手前に敷くマットなどと統一したデザインとして便室内を装飾する。この便蓋カバー６は、その形状が直線部６ａと半長円部６ｂからなる平面状の織布７を有する。ところで、最近の各メーカーから発売の洋式便器の機種は、縦、横のサイズが大きくなり、伴って、便蓋２のサイズも大きくなっている。例えば、従来の便蓋２のサイズは直線状の開閉部３の幅のサイズが３９〜４０ｃｍで、半長円状の便蓋２の長さのサイズが３９〜４２ｃｍであったが、最近の便器の便蓋２のサイズは直線状の開閉部３の幅のサイズが４０〜４１ｃｍで、半長円状の便蓋２の長さのサイズが４４〜４７ｃｍである。したがって、本考案の便蓋カバー６も、これらの最近の機種の便蓋２のサイズに適用できるサイズの大きさとしている。
【００２７】
このように、最近のサイズに適用しうる本考案の便蓋カバー６の直線部６ａと半長円部６ｂを形成する平面状の織布７は、便蓋カバー６の直線部６ａ以外の半長円部６ｂの平面状の織布７の先端の部分から垂直に折れ曲る折曲部６ｃに形成されている。図１ないし図２に示すように、便座カバー６の織布７の先端の部分の折曲部６ｃの裏面６ｄの側に、便蓋２の先端の側壁２ｂに裏側から上向きに嵌合して係止する硬質係止板８を設け、この硬質係止板８のみを側壁２ｂに裏側に下方から差し込み、便蓋２の側壁２ｂに便蓋カバー６の折曲部６ｃを、従来の便座カバーのように巻き込むことなく、側壁２ｂに係止可能としている。さらに、この便蓋カバー６の後端の直線部６ａと半長円部６ｂの後端側の裏面には、鉤９ａとゴム紐９ｂからなる係止具９を配設しており、この係止具９を図３に示す便蓋２の後端の直線状の開閉部３及び半長円状の周辺部４に形成の側壁２ｂに引っ掛けて係止するだけで、この便蓋カバー６を極めて簡単に便蓋２に取り付け可能となっている。すなわち、硬質係止板８は便蓋２の先端の側壁２に下方から差し込み、鉤９ａは便蓋２の側壁２ｂに引っ掛けるだけであるから、便蓋カバー６の便蓋２への装着が非常に早くでき、片手でも装着できるほど簡単に取り回しで行える。さらに本考案の便蓋カバー６は重量が軽い。すなわち、織布７を引っかけるだけ便蓋２に係止できで、従来の便蓋カバーの様に折り返してくるめる部分が不要なので、その分だけ軽量にすることができる。
【００２８】
次いで、請求項２に係る考案の便蓋カバー６の構成について説明する。この請求項２に係る考案の便蓋カバー６は上述の請求項１の考案の便蓋カバー６と基本的に同様である。すなわち、図２に示すように、便蓋カバー６を形成する織布７の先端の部分の折曲部６ｃの裏面６ｄに、便蓋２の先端の側壁２ｂに裏側から上向きに係止するための硬質係止板８を有している点は同様である。しかし、この硬質係止板８は弾性を有する硬質プラスチック板８ａから形成されており、弾性を有することが特定されている。ところで、便蓋２の先端２ａの長円形の曲率が多少相違していても、基本的には洋式便器１や便蓋２の大きさはそれほど異ならないものであるから、この弾性を有する硬質プラスチック板８ａを硬質係止板８とすることで、本願考案の便蓋カバー６をこれらの多少曲率の異なる便蓋２にも適用して使用でき、汎用性の高いものとなっている。
【００２９】
さらに、請求項３に係る考案の便蓋カバー６の構成について説明する。この請求項３に係る考案の便蓋カバー６は、請求項１又は請求項２に係る考案の便蓋ーカバー６を構成する織布７の表面を、図１に示すように段通状とした凸状のカットパイル７ａに形成している。さらに、織布７の周辺をヘム布にくるんだ縁取り７ｂを設けている。したがって、便蓋カバー６を段通状の織布７としたことで温かみのある柔らかな雰囲気をかもしだし、さらにその便蓋カバー６の周辺をヘム布にくるんだ縁取り７ｂとしたので、ほつれにくく長期間にわたって使用することが出来る。
【００３０】
さらに、請求項４に係る考案の便蓋カバー６の構成について説明する。この請求項４に係る考案の便蓋カバー６は、請求項１〜３のいずれか１項に係る考案の便蓋ーカバー６を構成する織布７の裏面６ｄを滑り止め部６ｅとして、例えば摩擦係数の大きなエラストマーなどを塗布している。したがって、便蓋２への便蓋カバー６の取り付け状態がずれることなく長期間安定しているので、係止具９のゴム紐９ｂが片寄って延ばされることがなく長持ちするなどの点で優れている。
【符号の説明】
【００３１】
１  洋式便器
２  便蓋
２ａ  先端
２ｂ  側壁
３  直線状の開閉部
４  半長円状の周辺部
５  便座
６  便蓋カバー
６ａ  直線部
６ｂ  半長円部
６ｃ  折曲部
６ｄ  裏面
６ｅ  滑り止め部
７  織布
７ａ  凸状のカットパイル
７ｂ  縁取り（ヘム布にくるんだ）
８  硬質係止板
８ａ  弾性を有する硬質プラスチック板
９  係止具
９ａ  鉤
９ｂ  ゴム紐
【図１】
0003165402.tif 000003
【図２】
0003165402.tif 000004
【図３】
0003165402.tif 000005
【図４】
0003165402.tif 000006
【図５】
0003165402.tif 000007